(57)【要約】      （修正有）【課題】画像表示装置に接続された外部装置が必要とする電力が変化した場合、自動的に画像表示装置内の電圧変換回路を切り替え、不要な電力の損失を防ぐことができる画像表示装置及び画像表示方法を提供する。【解決手段】画像表示装置１は、電源回路１０から取得した電圧を変換し、第一の電圧として出力する第一電圧変換回路３０と、電源回路から取得した電圧を変換し、第一電圧変換回路より高い電圧を出力する第二電圧変換回路４０と、自装置が消費する消費電力と自装置と接続される外部装置が必要とする電力とに基づいて、外部装置の必要な電力に応じて自装置へ供給する電力を決定する電力決定部及び外部装置の必要な電力に応じて第一電圧変換回路及び第二電圧変換回路のいずれかから電力を供給するかを制御する電力制御部を有する制御部と、を備える。【選択図】図１
2019161978.tif 000002
【特許請求の範囲】
【請求項１】
電源回路から取得した電圧を変換し、第一の電圧として出力する第一電圧変換回路と、
前記電源回路から取得した電圧を変換し、前記第一電圧変換回路より高い電圧を出力する第二電圧変換回路と、
自装置が消費する消費電力と、前記自装置と接続される外部装置が必要とする電力と、に基づいて、前記外部装置の必要な電力に応じて前記自装置へ供給する電力を決定する電力決定部と、
前記外部装置の必要な電力に応じて、前記第一電圧変換回路及び前記第二電圧変換回路のいずれかから電力を供給するかを制御する電力制御部と、
を備える画像表示装置。
【請求項２】
前記電力決定部は、前記自装置に備えられた複数の負荷のそれぞれの消費電力を表す内部データと、前記外部装置が必要とする電力と、に基づいて、前記自装置の負荷へ供給する電力を決定し、
前記電力制御部は、前記電力決定部が決定した電力に基づいて、前記自装置の負荷の内、少なくとも１つに対する電力の供給を制御する
請求項１に記載の画像表示装置。
【請求項３】
画像表示装置において、予め規定されている前記消費電力の内部データを取得する電力データ取得部
を備える請求項１又は２に記載の画像表示装置。
【請求項４】
前記電力データ取得部は、バックライト及び入力される映像信号に対応する音声信号を出力するオーディオ出力部の内、少なくとも１つの前記消費電力の前記内部データを取得する
請求項３に記載の画像表示装置。
【請求項５】
前記電力制御部は、前記外部装置の必要な電力に応じて、前記自装置に供給する電力を低減させる
請求項１から４のいずれか一項に記載の画像表示装置。
【請求項６】
１又は複数のコンピュータが、
電源回路から取得した電圧を変換し、第一の電圧として出力する第一電圧変換回路と、
前記電源回路から取得した電圧を変換し、前記第一電圧変換回路より高い電圧を出力する第二電圧変換回路と、を備え、
自装置が消費する消費電力と、前記自装置と接続される外部装置が必要とする電力と、に基づいて、前記外部装置の必要な電力に応じて前記自装置へ供給する電力を決定する電力決定ステップと、
前記外部装置の必要な電力に応じて、前記第一電圧変換回路及び前記第二電圧変換回路のいずれかから電力を供給するかを制御する電力制御ステップと、
を有する画像表示方法。
【発明の詳細な説明】
【技術分野】
【０００１】
本発明は、画像表示装置及び画像表示方法に関する。
【背景技術】
【０００２】
ＵＳＢ（Universal Serial Bus）には、様々な規格が存在する。近年、ＵＳＢの中でも、ＵＳＢ Ｔｙｐｅ−Ｃ（以下「Type-C」という。）と呼ばれる規格が、主流になってきている。Type-Cは、ＵＳＢの機器とケーブルにおいて、逆差しが可能な小型の２４ピンコネクタ（Type-Cコネクタ）規格の一つである。今までのＵＳＢでは、デバイスごとに異なった形状のケーブルを必要としていたが、Type-Cは、ホスト側、デバイス側どちらもType-Cコネクタで構成される。
【０００３】
また、コンピュータなどの情報処理装置において、ＬＣＤ（Liquid Crystal Display）と筐体との接続にType-Cが用いられている。ＬＣＤは、ＵＳＢが持つＰＤ（Power Delivery）の特徴を生かし、接続された外部装置に対して電力供給を行っている。
【０００４】
ＬＣＤにおいて、ＵＳＢのＰＤを行う場合、消費電力を削減する方法として、電圧を変化させ、電源及び蓄電部の総電力を制御する手法が文献１で開示されている。文献１では、レギュレータを使用することで、電力を一定に保ち、不要な場合は節電状態に移行する手法が開示されている。レギュレータとは、電圧変換回路の例であり、電源の電圧よりも
低い複数の電圧を作る場合に用いられる。
【０００５】
ＬＣＤにおいて、ＵＳＢのＰＤを行う場合、消費電力を削減する方法として、最適な消費電力効率となる経路を排他的に選択し、抵抗又はＤＣ−ＤＣ変換器のいずれか一方を経由する手法が文献２で開示されている。ＤＣ−ＤＣ変換器とは、電圧変換回路の例であり、電源の電圧よりも高い電圧を作る場合に用いられる。
【先行技術文献】
【特許文献】
【０００６】
【特許文献１】特開２００２−０３４１４８号公報
【特許文献２】特開２００６−２８００２８号公報
【発明の概要】
【発明が解決しようとする課題】
【０００７】
以上より、上記文献１及び２では、電圧変換回路を一つだけ用いて、消費電力の削減を試みている。しかしながら、上記文献１及び２では、電圧変換回路を一つだけ用いて、機能を選択し、ＬＣＤの総電力を制御しているため、ＬＣＤに接続された外部装置の必要となる電力が変化した場合、自動的に切り替えができない問題がある。また、予め定められた電力設計は、外部装置が必要とする電力（以下「外部装置電力」という。）に対して最適な設計となっているため、外部装置電力が変更された場合、電力設計は、最適な設定にならず不要な電力の損失が発生してしまう問題がある。
【０００８】
そこで本発明は、上述の課題を解決する画像表示装置及び画像表示方法を提供することを目的としている。
【課題を解決するための手段】
【０００９】
本発明の第１の態様によれば、画像表示装置は、電源回路から取得した電圧を変換し、第一の電圧として出力する第一電圧変換回路と、前記電源回路から取得した電圧を変換し、前記第一電圧変換回路より高い電圧を出力する第二電圧変換回路と、自装置が消費する消費電力と、前記自装置と接続される外部装置が必要とする電力と、に基づいて、前記外部装置の必要な電力に応じて前記自装置へ供給する電力を決定する電力決定部と、前記外部装置の必要な電力に応じて、前記第一電圧変換回路及び前記第二電圧変換回路のいずれかから電力を供給するかを制御する電力制御部と、を備える。
【００１０】
本発明の第２の態様によれば、画像表示方法は、１又は複数のコンピュータが、電源回路から取得した電圧を変換し、第一の電圧として出力する第一電圧変換回路と、前記電源回路から取得した電圧を変換し、前記第一電圧変換回路より高い電圧を出力する第二電圧変換回路と、を備え、自装置が消費する消費電力と、前記自装置と接続される外部装置が必要とする電力と、に基づいて、前記外部装置の必要な電力に応じて前記自装置へ供給する電力を決定する電力決定ステップと、前記外部装置の必要な電力に応じて、前記第一電圧変換回路及び前記第二電圧変換回路のいずれかから電力を供給するかを制御する電力制御ステップと、を有する。
【発明の効果】
【００１１】
上記態様のうち少なくとも１つの態様によれば、画像表示装置は、電圧変換回路を２つ備え、自装置が消費する消費電力と、自装置と接続される外部装置が必要とする電力と、に基づいて、自装置が消費する電力を自動で変更する。また、画像表示装置が備える負荷装置の使用する電力に基づいて、画像表示装置は、当該負荷装置の機能を制限し、消費電力を削減する。これにより、外部装置の電力負荷が変更になった場合でも、自動で電圧変換回路を制御し、電力の損失を防ぐ効果を得ることができる。
【図面の簡単な説明】
【００１２】
【図１】本発明の一実施形態に係る画像表示装置１のハードウェア構成を示す概略ブロック図である。
【図２】本発明の一実施形態に係る制御部１００のソフトウェア構成を示す概略ブロック図である。
【図３】本発明の一実施形態に係る画像表示装置に接続される負荷装置の電力供給の条件の一例を示す図である。
【図４】本発明の一実施形態に係る画像表示装置に接続される負荷装置の電力供給の条件の一例を示す図である。
【図５】本発明の一実施形態に係る画像表示装置に接続される負荷装置の電力供給の条件の一例を示す図である。
【図６】本発明の一実施形態に係る画像表示装置に接続される負荷装置の電力供給の条件の一例を示す図である。
【図７】本発明の一実施形態に係る電力制御の処理の流れを示すフローチャートである。
【図８】本実施形態による画像表示装置１の最少構成を示す図である。
【発明を実施するための形態】
【００１３】
以下、本発明の実施形態について、図面を参照して説明する。
【００１４】
図１は、本発明の一実施形態に係る画像表示装置１のハードウェア構成を示す概略ブロック図である。
画像表示装置１は、電源回路１０と、スイッチ制御回路２０と、第一電圧変換回路３０と、第二電圧変換回路４０と、ＰＤコントローラ５０と、コネクタ６０と、ＵＳＢ７０と、オーディオ出力部８０と、バックライト制御回路９０と、バックライト９１と、制御部１００と、を備える。
【００１５】
電源回路１０は、交流電源から電流が入力された場合、スイッチ制御回路２０、第一電圧変換回路３０、バックライト制御回路９０及び制御部１００に電力を供給する回路である。なお、本実施形態では、電源回路１０に１００Ｗの入力があったものとして以下を説明する。
スイッチ制御回路２０は、電力制御部１３０からの接続命令又は非接続命令に基づいて、第二電圧変換回路４０に接続を行うか否かを制御する回路である。
【００１６】
第一電圧変換回路３０及び第二電圧変換回路４０は、電源回路１０から受け取る電圧を変換する回路である。電圧変換回路は、ＤＣ−ＤＣ回路やレギュレータなどが存在するが、本実施形態では、例としてＤＣ−ＤＣ回路を用いる。なお、第一電圧変換回路３０及び第二電圧変換回路４０の電力負荷は、外部装置電力の負荷に応じて任意に変更してもよい。
【００１７】
ＰＤコントローラ５０は、画像表示装置１に接続する外部装置の電力負荷が変更になった場合、制御部１００に、画像表示装置１が備える内部の負荷装置の電力を減らす条件（以下「内部電力減少条件」という。）を指示する。本実施形態では、内部電力減少条件は、例として、外部装置電力を３０Ｗ又は６０Ｗとして適用する。
コネクタ６０は、画像表示装置１に接続する外部装置の電力負荷をＰＤコントローラ５０に通知する。
【００１８】
ＵＳＢ７０は、ユーザーがＬＣＤに搭載したＵＳＢ ＨＵＢの使用有無を検出する。ＵＳＢ ＨＵＢが使用されていた場合、ＵＳＢ７０は、使用された負荷装置の電力を内部データとして記憶する。
オーディオ出力部８０は、音量の設定情報から映像信号に対応する音声信号を出力する際の電力を換算し、使用された電力を内部データとして記憶する。
【００１９】
バックライト制御回路９０は、内部設定や電力制御部１３０の制御命令などの設定変更の命令に基づいて、バックライト９１の電力を制御する。
バックライト９１は、バックライト９１が使用される際の明るさ（ブライトネス）の設定情報から、電力を換算し、使用された電力を内部データとして記憶する。
【００２０】
制御部１００は、ＣＰＵ（Central Processing Unit）等のプロセッサを用いて構成される。プロセッサがプログラムを実行することによって、制御部１００は、電力データ取得部１１０、電力決定部１２０及び電力制御部１３０として機能する。制御部１００の機能は図２で後述する。
【００２１】
図２は、本発明の一実施形態に係る制御部１００のソフトウェア構成を示す概略ブロック図である。
電力データ取得部１１０は、画像表示装置１に備えられた複数の負荷装置のそれぞれの消費電力と、外部装置電力と、を取得する。具体的には、電力データ取得部１１０は、画像表示装置１に備えられたＵＳＢ７０や、オーディオ出力部８０及びバックライト９１などの負荷装置から、それぞれが記憶する消費電力を内部データとして取得する。
【００２２】
電力決定部１２０は、画像表示装置１が消費する消費電力と、画像表示装置１に接続される外部装置が必要とする消費電力と、に基づいて、外部装置の必要な電力に応じて画像表示装置１へ供給する電力を決定する。また、電力決定部１２０は、外部装置電力が６０Ｗの負荷か否かを判定する。電力決定部１２０は、判定結果に基づいて、内部電力減少条件を使用するか否か決定する。
【００２３】
具体的には、電力決定部１２０は、電力データ取得部１１０から受け取った内部データに基づいて、画像表示装置１が消費する全消費電力を算出する。次に、電力決定部１２０は、算出した全消費電力と、外部装置電力と、に基づいて、画像表示装置１が備える負荷装置へ供給する電力を決定する。
【００２４】
電力決定部１２０が画像表示装置１に備えられた負荷装置へ供給する電力は、図３から６に示す内部電力減少条件から決定される。電力決定部１２０は、判定結果に基づいて、内部電力減少条件を使用する必要がある場合、図３から図６で後述する方法で内部電力減少条件を決定した後、当該内部電力減少条件を電力制御部１３０へ送る。
【００２５】
電力制御部１３０は、外部装置の必要な電力に応じて、第一電圧変換回路３０及び第二電圧変換回路４０のいずれかから電力を供給するかを制御する。電力制御部１３０は、電力決定部１２０から受け取った内部電力減少条件に基づいて、画像表示装置１が備える負荷装置の内部データを制御する。
【００２６】
具体的には、電力制御部１３０は、内部電力減少条件に基づいて、画像表示装置１の負荷装置であるＵＳＢ７０、オーディオ出力部８０及びバックライト９１の内、少なくとも１つに対し、使用する電力の設定を変更する。電力制御部１３０は、ＵＳＢ７０及びオーディオ出力部８０が使用可能な消費電力の設定値を変更する。電力制御部１３０は、バックライト制御回路９０にバックライト９１が使用可能な消費電力の設定値を通知する。
【００２７】
また、電力制御部１３０は、電力決定部１２０から内部電力減少条件を受け取った場合、第二電圧変換回路４０を接続するため、スイッチ制御回路２０へ接続命令を送る。なお、電力決定部１２０から内部電力減少条件が通知されない場合、電力制御部１３０は、画像表示装置１が備える負荷装置の内部データを通常の動作を行う条件（以下「通常動作条件」という。）として維持し、スイッチ制御回路２０へ非接続命令を送る。
【００２８】
図３から図６は、本発明の一実施形態に係る画像表示装置に接続される電子機器の電力供給の条件の一例を示す図である。
図３から図６では、電力決定部１２０が内部電力減少条件を決定する方法を説明する。画像表示装置１がType-Cを介して接続する外部装置の外部装置電力が増加した場合、電力決定部１２０は、内部電力減少条件を画像表示装置１が備える負荷装置の消費電力の減少量を決定する。
【００２９】
具体的には、電源回路１０に１００Ｗの入力があり、外部装置電力が３０Ｗから６０Ｗに変更された場合、電力決定部１２０は、画像表示装置１が備える負荷装置に対する内部電力減少条件を以下のように決定する。
【００３０】
図３は、本発明の一実施形態に係る画像表示装置に接続される電子機器の電力供給の条件の一例を示す図である。
ＵＳＢ７０に接続する負荷装置がある場合、電力制御部１３０は、ＵＳＢ７０の消費電力を、予め設定された設定値（ＵＳＢ：２０Ｗ）のまま維持する。オーディオ出力部８０が使用される場合、電力制御部１３０は、オーディオ出力部８０の消費電力を予め設定された設定値（オーディオ：１０Ｗ）より減少させる（オーディオ：５Ｗ）。
【００３１】
また、電力制御部１３０は、バックライト９１の消費電力を予め設定された設定値（バックライト：３５Ｗ）より減少させるため、バックライト制御回路９０にバックライト９１が使用可能な消費電力の設定値（バックライト：１０Ｗ）を通知する。
【００３２】
図４は、本発明の一実施形態に係る画像表示装置に接続される電子機器の電力供給の条件の一例を示す図である。
ＵＳＢ７０に接続する負荷装置がある場合、電力制御部１３０は、ＵＳＢ７０の消費電力を、予め設定された設定値（ＵＳＢ：２０Ｗ）のまま維持する。オーディオ出力部８０が使用されない場合、電力制御部１３０は、オーディオ出力部８０が使用する消費電力を、予め設定された設定値（オーディオ：１０Ｗ）から０Ｗに変更する。
【００３３】
また、電力制御部１３０は、バックライト９１の消費電力を予め設定された設定値（バックライト：３５Ｗ）より減少させるため、バックライト制御回路９０にバックライト９１が使用可能な消費電力の設定値（バックライト：１５Ｗ）を通知する。
【００３４】
図５は、本発明の一実施形態に係る画像表示装置に接続される電子機器の電力供給の条件の一例を示す図である。
ＵＳＢ７０に接続する負荷装置がない場合、電力制御部１３０は、ＵＳＢ７０の消費電力を、予め設定された設定値（ＵＳＢ：２０Ｗ）から０Ｗに変更する。オーディオ出力部８０が使用される場合、電力制御部１３０は、オーディオ出力部８０の消費電力を、予め設定された設定値（オーディオ：１０Ｗ）のまま維持する。
【００３５】
また、電力制御部１３０は、バックライト９１の消費電力を予め設定された設定値（バックライト：３５Ｗ）より減少させるため、バックライト制御回路９０にバックライト９１が使用可能な消費電力の設定値（バックライト：２５Ｗ）を通知する。
【００３６】
図６は、本発明の一実施形態に係る画像表示装置に接続される電子機器の電力供給の条件の一例を示す図である。
ＵＳＢ７０に接続する負荷装置がない場合、電力制御部１３０は、ＵＳＢ７０の消費電力を、予め設定された設定値（ＵＳＢ：２０Ｗ）から０Ｗに変更する。オーディオ出力部８０が使用されない場合、電力制御部１３０は、オーディオ出力部８０が使用する消費電力を、予め設定された設定値（オーディオ：１０Ｗ）から０Ｗに変更する。
【００３７】
ＵＳＢ７０及びオーディオ出力部８０の消費電力が０Ｗであるため、電力制御部１３０は、バックライト制御回路９０に消費電力の通知を行わず、バックライト９１の消費電力を予め設定された設定値（バックライト：３５Ｗ）のまま維持する。
【００３８】
図７は、本発明の一実施形態に係る電力制御の処理の流れを示すフローチャートである。
電力決定部１２０は、外部装置電力が規定値より低いか否かを判定する（ステップＳ１００）。外部装置電力が規定値以下の場合（ステップＳ１００：ＹＥＳ）、電力決定部１２０は、内部電力減少条件を使用しないため、画像表示装置１が備える負荷装置の内部データは、予め設定された設定値のまま通常動作条件として維持される（ステップＳ１０１）。
【００３９】
電力制御部１３０は、電力決定部１２０から内部電力減少条件を受け取らず、第二電圧変換回路４０の接続を切断するため、スイッチ制御回路２０へ非接続命令を送る（ステップＳ１０２）。スイッチ制御回路２０は、非接続命令を受け取り、第二電圧変換回路４０を非接続にする（ステップＳ１０３）。
【００４０】
外部装置電力が規定値以上の場合（ステップＳ１００：ＮＯ）、電力決定部１２０は、画像表示装置１が備える負荷装置の使用状態及び内部データに基づいて、内部電力減少条件を使用する（ステップＳ１０４）。
【００４１】
電力制御部１３０は、電力決定部１２０から内部電力減少条件を受け取り、第二電圧変換回路４０を接続するため、スイッチ制御回路２０へ接続命令を送る（ステップＳ１０５）。スイッチ制御回路２０は、接続命令を受け取り、第二電圧変換回路４０を接続する（ステップＳ１０６）。
【００４２】
図８は、本実施形態による画像表示装置１の最少構成を示す図である。
本実施形態による画像表示装置１は少なくとも、電力決定部１２０及び電力制御部１３０を備えればよい。
電力決定部１２０は、画像表示装置１が消費する消費電力と、画像表示装置１に接続される外部装置が必要とする消費電力と、に基づいて、外部装置の必要な電力に応じて画像表示装置１へ供給する電力を決定する。
【００４３】
具体的には、電力決定部１２０は、電力データ取得部１１０から受け取った内部データに基づいて、画像表示装置１が消費する全消費電力を算出する。次に、電力決定部１２０は、算出した全消費電力と、外部装置電力と、に基づいて、画像表示装置１が備える負荷装置へ供給する電力を決定する。
【００４４】
電力決定部１２０が画像表示装置１に備えられた負荷装置へ供給する電力は、図３から６に示す内部電力減少条件から決定される。電力決定部１２０は、内部電力減少条件を使用する必要がある場合、図３から図６で後述する方法で内部電力減少条件を決定した後、当該内部電力減少条件を電力制御部１３０へ送る。
【００４５】
電力制御部１３０は、外部装置の必要な電力に応じて、第一電圧変換回路３０及び第二電圧変換回路４０のいずれかから電力を供給するかを制御する。電力制御部１３０は、電力決定部１２０から受け取った内部電力減少条件に基づいて、画像表示装置１が備える負荷装置の内部データを制御する。
【００４６】
具体的には、電力制御部１３０は、内部電力減少条件に基づいて、画像表示装置１の負荷装置であるＵＳＢ７０、オーディオ出力部８０及びバックライト９１の内、少なくとも１つに対し、使用する電力の設定を変更する。電力制御部１３０は、ＵＳＢ７０及びオーディオ出力部８０が使用可能な消費電力の設定値を変更する。電力制御部１３０は、バックライト制御回路９０にバックライト９１が使用可能な消費電力の設定値を通知する。
【００４７】
また、電力制御部１３０は、電力決定部１２０から内部電力減少条件を受け取った場合、第二電圧変換回路４０を接続するため、スイッチ制御回路２０へ接続命令を送る。なお、電力決定部１２０から内部電力減少条件が通知されない場合、電力制御部１３０は、画像表示装置１が備える負荷装置の内部データを通常動作条件として維持し、スイッチ制御回路２０へ接続命令は送らない。
【００４８】
以上より、本実施形態では、電力決定部１２０及び電力制御部１３０を持つことにより、外部装置電力が変化した場合、自動的に電圧変換回路を切り替え、不要な電力の損失を防ぐ画像表示装置を提供する。
【００４９】
上述の情報処理装置は内部に、コンピュータシステムを有している。そして、上述した外部装置電力が変化した場合、自動的に切り替えができない問題と、不要な電力の損失が発生してしまう問題が起きた場合に、ＯＳの処理を継続する過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５０】
なお、図１における処理部の機能を実現するためのプログラムをコンピュータ読み取り可能な記録媒体に記録して、この記録媒体に記録されたプログラムをコンピュータシステムに読み込ませ、実行することにより、ＢＩＯＳの例外時にＯＳの処理を継続させてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５２】
１：画像表示装置、１０：電源回路、２０：スイッチ制御回路、３０：第一電圧変換回路、４０：第二電圧変換回路、５０：ＰＤコントローラ、６０：コネクタ、７０：ＵＳＢ、８０：オーディオ出力部、９０：バックライト制御回路、９１：バックライト、１００：制御部、１１０：電力データ取得部、１２０：電力決定部、１３０：電力制御部
【図１】
2019161978.tif 000003
【図２】
2019161978.tif 000004
【図３】
2019161978.tif 000005
【図４】
2019161978.tif 000006
【図５】
2019161978.tif 000007
【図６】
2019161978.tif 000008
【図７】
2019161978.tif 000009
【図８】
2019161978.tif 000010